(57)【要約】【課題】簡単な構成を採用して、長尺状の外のハンドル部材を簡単に扉に仮止めすることができること。【解決手段】扉の内壁面に配設される長尺状の内ハンドル部材と扉の外壁面に配設されると共に水平連結杆を有する長尺状の外ハンドル部材とを一体的に連結する内外のハンドル部材の取付け構造であって、扉に扉貫通孔を形成し、この扉貫通孔に水平連結杆の係合部を貫通させると共に内ハンドル部材を構成する内側取付け座に貫通状支持孔を形成し、この貫通状支持孔を介して扉貫通孔を貫通した水平連結杆の係合部に内側取付け座を仮止めの状態にぶら下げる外ハンドル部材を支持させた状態に仮止めする内外のハンドル部材の取付け構造。【選択図】図１２
2018168590.tif 000002
【特許請求の範囲】
【請求項１】
扉の内壁面に配設される長尺状の内ハンドル部材と扉の外壁面に配設されると共に水平連結杆を有する長尺状の外ハンドル部材とを一体的に連結する内外のハンドル部材の取付け構造であって、前記扉に扉貫通孔を形成し、この扉貫通孔に前記水平連結杆の係合部を貫通させると共に、前記内ハンドル部材を構成する内側取付け座に貫通状支持孔を形成し、この貫通状支持孔を介して扉貫通孔を貫通した前記水平連結杆の係合部に前記内側取付け座を仮止めの状態にぶら下げ該外ハンドル部材を支持させた状態に仮止めすることを特徴とする内外のハンドル部材の取付け構造。
【請求項２】
請求項１の内外のハンドル部材の取付け構造に於いて、外ハンドル部材に設けた水平連結杆とは別個の第２水平連結杆を設け、この第２水平連結杆に内側座板用固定ネジをねじ込み、該内側取付け座と外ハンドル部材とを前記扉の内外の壁面に対して一体的に固定したことを特徴とする内外のハンドル部材の取付け構造。
【請求項３】
請求項１の内外のハンドル部材の取付け構造に於いて、扉に電気錠解錠用の識別情報取得電子機器が固定的に配設され、一方、電気錠を制御する制御装置が扉に設けた錠箱又は扉あるいは又は内ハンドル部材のいずれかに配設され、内側取付け座と外ハンドル部材が一体的に連結された時に、前記識別情報取得電子機器のリード線と制御装置のリード線は互いのコネクタにより結線されることを特徴とする内外のハンドル部材の取付け構造。
【請求項４】
請求項１の内外のハンドル部材の取付け構造に於いて、扉貫通孔は、上下方向の貫通孔であることを特徴とする内外のハンドル部材の取付け構造。
【請求項５】
扉の内壁面に配設される長尺状の内ハンドル部材と扉の外壁面に配設される長尺状の外ハンドル部材とを螺合手段を介して一体的に連結する内外のハンドル部材の取付け方法であって、まず、前記外ハンドル部材に突設した前記螺合手段の一方を構成する第１水平連結杆の係合部を、前記扉及び前記内ハンドル部材を構成する内側取付け座の貫通状支持孔に貫通させて前記内ハンドル部材を構成する内側取付け座を前記扉の内壁面に対して仮止めの状態に保持する内側取付け座仮止め工程と、次に、この内側取付け座仮止め工程の状態で前記外ハンドル部材の外側取付け座に突設されかつ前記第１水平連結杆とは別個の第２水平連結杆に内側座板用固定ネジを前記内側取付け座の外壁面側からねじ込んで該内側取付け座と前記外ハンドル部材とを前記扉の内外の壁面に対して一体的に固定する内側取付け座及び外ハンドル部材一体化工程と、次に、扉に配設した気錠解錠用の識別情報取得電子機器のリード線と電気錠の駆動源を制御する制御装置のリード線を互いのコネクタにより結線する電子機器と制御装置の結線工程と、然る後に、前記内ハンドル部材の貫通孔に本締め用固定ネジを差し込みかつ前記第１水平連結杆の先端部に螺合させて該内ハンドル部材と前記外ハンドル部材を完全に一体化する内外ハンドル部材一体化工程とから成る内外のハンドル部材の取付け方法。
【発明の詳細な説明】
【技術分野】
【０００１】
本発明は、電気錠を備えた扉用の内外のハンドル部材の取付け構造及びその取付け方法に関する。
【背景技術】
【０００２】
特許文献１の発明の課題は、「扉２の内部の加工を最小限に抑え、複数の電気錠７，８に対するケーブルの配線作業を容易に行うこと」であり、この電気錠システム１は、「扉２の室外側壁面２ｃに設けられる室外側ハンドル４と、室外側ハンドル４を両端から挟むような位置で扉２に内設され、施解錠操作装置６に対する操作に基づいて施解錠される２つの電気錠７，８と、電気錠７，８にそれぞれ電気的に接続され、室外側ハンドル４に内設される内設ケーブル５６と」を備えている（符号は特許文献１のもの）。
【０００３】
また、特許文献２の発明の課題は、「電気錠とその制御装置とを接続する配線の取り出し作業を困難とすることにより不正解錠に対する防犯性能を好適に確保することができること」であり、この電気錠は、「制御装置１７は保護容器３１に収容され、一方、駆動装置２３は扉側の側面にブラケット４１を介して固定される意匠容器（ケース状取付け座）３１に収容し、前記保護容器３１と意匠容器３１との間にはそれらの内部を連通する連通管４３を設けるとともに、当該連通管４３内には、前記制御装置１７と駆動装置２３とを接続する配線Ｗａが通されている」ものである（符号は特許文献２のもの）。
【０００４】
なお、本願発明の構成に関して、扉の内壁面に配設される内ハンドル部材と扉の外壁面に配設される外ハンドル部材とを螺合手段を介して一体的に連結する内外のハンドル部材の取付け構造は、特許文献１、特許文献３に記載されているように周知事項である。また、長尺状の内外のハンドル部材を構成する上方の台状脚部に機械的ラッチ機構のロックを解消させる技術は、特許文献１、特許文献４に記載されているように周知事項である。したがって、本明細書では、周知事項の説明は極力割愛している。
【０００５】
ところで、上記特許文献には、簡単な構造を採用して、扉に外ハンドル部材を仮止めする事項は、記載或いは示唆されていない。また、特許文献１と２には、配線に関する技術についての言及があるものの、扉用の自動施解錠装置における配線の容易化を図るために、内外のハンドル部材をどのような構成で一体化するかについては、当業者に全く認識されていない。そこで、現在、本願発明の課題が要望されている。
【先行技術文献】
【特許文献】
【０００６】
【特許文献１】特開２０１５−１２９３９９号公報
【特許文献２】特開２００８−１８４７４４号公報
【特許文献３】特開２０１１−７４７１７号公報
【特許文献４】特開２０１３−１１２９２９号公報
【発明の概要】
【発明が解決しようとする課題】
【０００７】
本願発明の主たる目的は、まず、簡単な構成を採用して、長尺状の外のハンドル部材を簡単に扉に仮止めすることができることである。次に、外ハンドル部材が容易に水平方向にスライドしないことである。さらに、外のハンドル部材が外方向に位置変位あるいは位置変位して落下しないように仮止めすることである。前記主たる目的を前提として、扉用の自動施解錠装置における配線の容易化を図るために、物の発明及び方法の発明は、内外のハンドル部材を一体化する前に識別情報取得電子機器（例えばカメラ、リーダなど）側のコネクタと、扉又は内ハンドル部材のいずれかに設けた制御装置側のコネクタとを容易に接続することができることである。その他付随的な課題として、外側ハンドル部材の水平連結杆を内側取付け座の貫通状支持孔に容易に差し込むことができることである。
【課題を解決するための手段】
【０００８】
本発明の内外のハンドル部材の取付け構造は、扉の内壁面に配設される長尺状の内ハンドル部材と扉の外壁面に配設されると共に水平連結杆を有する長尺状の外ハンドル部材とを一体的に連結する内外のハンドル部材の取付け構造であって、前記扉に扉貫通孔を形成し、この扉貫通孔に前記水平連結杆の係合部を貫通させると共に、前記内ハンドル部材を構成する内側取付け座に貫通状支持孔を形成し、この貫通状支持孔を介して扉貫通孔を貫通した前記水平連結杆の係合部に前記内側取付け座を仮止めの状態にぶら下げ該外ハンドル部材を支持させた状態に仮止めすることを特徴とする。
【０００９】
上記構成に於いて、水平連結杆に設けた係合部は、溝又は凸のいずれかであることを特徴とする。また、外ハンドル部材に設けた水平連結杆とは別個の第２水平連結杆を設け、この第２水平連結杆に内側座板用固定ネジをねじ込み、該内側取付け座と外ハンドル部材とを前記扉の内外の壁面に対して一体的に固定したことを特徴とする。さらに、扉に電気錠解錠用の識別情報取得電子機器が固定的に配設され、一方、電気錠を制御する制御装置が扉に設けた錠箱又は扉又は内ハンドル部材のいずれかに配設され、内側取付け座と外ハンドル部材が一体的に連結された時に、前記識別情報取得電子機器のリード線と制御装置のリード線は互いのコネクタにより結線されることを特徴とする。加えて、扉貫通孔は、上下方向の貫通孔であることを特徴とする。
【００１０】
また本発明の内外のハンドル部材の取付け方法は、扉の内壁面に配設される長尺状の内ハンドル部材と扉の外壁面に配設される長尺状の外ハンドル部材とを螺合手段を介して一体的に連結する内外のハンドル部材の取付け方法であって、まず、前記外ハンドル部材に突設した前記螺合手段の一方を構成する第１水平連結杆の係合部を、前記扉及び前記内ハンドル部材を構成する内側取付け座の貫通状支持孔に貫通させて前記内ハンドル部材を構成する内側取付け座を前記扉の内壁面に対して仮止めの状態に保持する内側取付け座仮止め工程と、次に、この内側取付け座仮止め工程の状態で前記外ハンドル部材の外側取付け座に突設されかつ前記第１水平連結杆とは別個の第２水平連結杆に内側座板用固定ネジを前記内側取付け座の外壁面側からねじ込んで該内側取付け座と前記外ハンドル部材とを前記扉の内外の壁面に対して一体的に固定する内側取付け座及び外ハンドル部材一体化工程と、次に、扉に配設した気錠解錠用の識別情報取得電子機器のリード線と電気錠の駆動源を制御する制御装置のリード線を互いのコネクタにより結線する電子機器と制御装置の結線工程と、然る後に、前記内ハンドル部材の貫通孔に本締め用固定ネジを差し込みかつ前記第１水平連結杆の先端部に螺合させて該内ハンドル部材と前記外ハンドル部材を完全に一体化する内外ハンドル部材一体化工程とから成るとから成ることを特徴とする。
【発明の効果】
【００１１】
（ａ）請求項１に記載の発明（物の発明）は、錠箱が設けられた扉の内壁面に内ハンドル部材を設け、この内ハンドル部材を構成する内側取付け座に貫通状支持孔を形成し、この貫通状支持孔を介して扉貫通孔を貫通した水平連結杆の係合部に前記内側取付け座を仮止めの状態にぶら下げるので、外ハンドル部材が外方向に位置変位あるいは位置変位して落下しないように仮止めすることができ、簡単な構成により、長尺状の外のハンドル部材を簡単に扉に仮止めすることができる。一方、請求項５に記載の発明（方法の発明）は、施工現場で扉用の自動施解錠装置における配線の容易化を図るために、簡単な構成により、識別情報取得電子機器側のコネクタと、扉、錠箱、又は内ハンドル部材のいずれかに設けた制御装置側のコネクタとを容易に接続することができる。
（ｂ）請求項２に記載の発明は、外ハンドル部材に設けた水平連結杆とは別個の第２水平連結杆を設け、この第２水平連結杆に内側座板用固定ネジをねじ込み、該内側取付け座と外ハンドル部材とを前記扉の内外の壁面に対して一体的に固定したので、内側取付け座は、容易に上下・左右に可動しない。したがって、内側取付け座に制御装置を設ける実施形態の場合には、扉用の自動施解錠装置における配線を容易に行うことができる。
（ｃ）請求項３に記載の発明は、扉の外壁面又は扉の内部に気錠解錠用の識別情報取得電子機器が固定的に配設され、一方、電気錠の駆動源を制御する制御装置が、錠箱又は扉又は内ハンドル部材のいずれかに配設され、内側取付け座と外ハンドル部材が一体的に連結された時に、前記識別情報取得電子機器のリード線と制御装置のリード線は互いのコネクタにより結線されるので、いわゆる扉用の自動施解錠装置に最適である。
（ｄ）請求項４に記載の発明は、扉貫通孔が上下方向の貫通孔であることから、外側ハンドル部材の水平連結杆を内側取付け座の貫通状支持孔に容易に差し込むことができる。
【図面の簡単な説明】
【００１２】
図１乃至図１１は本発明の第１実施形態（物の発明）を示す各説明図。図１２乃至図１４は本発明の第２実施形態（物の発明）を示す各説明図。図１５は本発明の方法の一例である。
【図１】室内側から見た実施環境を示す概略説明図。
【図２】室外側から見た実施環境を示す概略説明図。
【図３】扉の自由端面（木口）側から見た概略説明図。
【図４】内外のハンドル部材の主要部を分解した斜視図。
【図５】内側取付け座の概略縦断面説明図。
【図６】外ハンドル部材の第１水平連結杆と第２水平連結杆を扉の貫通孔に差込む説明図。
【図７】図６に於いて、第１水平連結杆と第２水平連結杆を扉の貫通孔に貫通した状態を扉の内壁面側から見た説明図。
【図８】扉の内壁面に対して、内側取付け座を内側座板用固定ネジ及び第２水平連結杆を介して固定した説明図。
【図９】電子機器と制御装置の結線の一例を示す概略説明図。
【図１０】扉の木口側から見た要部の分解説明図。
【図１１】締め用固定ネジ１６及び第１水平連結杆３１を介して内ハンドル部材８と外ハンドル部材９を一体化する説明図。
【図１２】第２実施形態の要部を示す説明図。
【図１３】要部の一部（内側取付け座に係合する係合部としての溝を有する水平連結杆）の斜視図。
【図１４】要部の一部（内側取付け座に係合する係合部としての凸を有する水平連結杆）の斜視図。
【図１５】本発明の第１実施形態を用いた方法の工程図。
【発明を実施するための最良の形態】
【００１３】
（１）本発明の主要部
本発明の主要部は、図１２乃至図１４に示した第２実施形態に示されている。この第２実施形態は、扉３の内壁面３ａに配設される長尺状の内ハンドル部材（後述する）と扉３の外壁面３ｂに配設されると共に、水平連結杆３１Ａを有する長尺状の外ハンドル部材９とを一体的に連結する内外のハンドル部材の取付け構造であって、前記扉３の適宜箇所に、好ましくは上下方向に長孔である扉貫通孔１１を形成し、この扉貫通孔１１に前記水平連結杆３１Ａを貫通させる。
【００１４】
例えば図１２を参照にすると、この実施形態の「仮止め」は、扉３の外壁面３ｂと内壁面３ａにそれぞれ水平状態に対向形成された前記扉貫通孔１１に、長尺状の外ハンドル部材９の上方の台状脚部２７に水平方向に突設した第１水平連結杆３１Ａ（この実施形態では、単に「水平連結杆３１Ａ」という）が貫通するので、その先端部寄りの部位に周設した溝状の係合部５０ではなく、該溝溝状の係合部５０が形成されていないほぼ中央部（中央部よりの部位も含む）が前記扉貫通孔１１の内周面を形成している縁部分１１ａに支持されている。この第２実施形態は、後述する内側取付け座２０を特定要件とするので、前記水平連結杆３１Ａは前記扉貫通孔１１と符合する内側取付け座２０の上方の貫通状支持孔３３も貫通する。したがって、扉３の内壁面３ａに配設される長尺状の内ハンドル部材は、仮止め状態の外ハンドル部材９に前記水平連結杆３１Ａを介して仮止め状態に支持された格好となる。
【００１５】
付言すると、第２実施形態は、外ハンドル部材９と後述の内ハンドル部材８を構成する内側取付け座２０が同時に仮止め状態となる。すなわち、錠箱が設けられた扉３の内壁面３ａに内ハンドル部材８を設け、この内ハンドル部材８を構成する内側取付け座２０に貫通状支持孔３３を形成し、この貫通状支持孔３３を介して扉３の内外の扉貫通孔１１、１１を貫通した水平連結杆３１Ａの先端の係合部５０に、前記内側取付け座２０を仮止めの状態にぶら下げることを特徴とする。なお、水平連結杆３１Ａの溝状の係合部５０は、図１４で示すように、水平連結杆３１Ｂにフランジ状に周設した凸状の係合部５０であっても良い。
【００１６】
（２）本発明の実施環境
以下、例えば第２実施形態を主要部とし、これに他の構成要件を加味しても良い実施形態を「第１実施形態」、「第２実施形態」とする。まず、図１乃至図１１は本発明の第１実施形態（物の発明）を示す各説明図である。以下、本発明の実施環境を、図１乃至図３を参照にして説明する。なお、本発明の実施環境を説明するにあたって、本発明の実施形態（扉に配設される電気錠用の内外のハンドル部材）を直接的に特定しない事項、錠機構、ラッチ機構、電気錠システム等の具体的構成は、簡単に図示して説明する。
【００１７】
周知の如く、電子キーシステムは、外出時にユーザにより所持される図示しない電子キー、電子カード等の識別情報媒体と、建物の出入り口の扉枠１に蝶番手段２を介して開閉自在に設けられた扉３の自由端部に内設された単数又は複数の電気錠（本実施形態）４と、この電気錠４に第１信号線と第１コネクタ手段を介して電気的に接続する図示しない電気錠用の制御装置と、この制御装置に第２信号線と第２コネクタ手段を介して電気的に接続すると共に、扉の外壁面（本実施形態）又は扉の内部のいずれかに配設され、かつ、前記識別情報媒体の識別情報を取得する電子機器（カメラ、携帯端末、リーダ等）５とから成る（図９参照）。
【００１８】
電子キーシステムは、扉に設けられた電気錠４、扉又は電気錠に設けられた制御装置、扉又はハンドル部材に設けられた識別情報取得電子機器５を含む。この電子キーシステムは、この種の当業者に「扉用の自動施解錠装置」と認識され、該扉用の自動施解錠装置は、さらに、扉の自由端部の、例えば複数の電気錠（本実施形態）４の間に配設された電動ラッチ装置又は機械的ラッチ機構（本実施形態）６を含み、この機械的ラッチ機構６のロック状態を解消することができるように内外のプッシュプル式のハンドル部材８、９が、例えば図１及び図２で示すように縦方向に配設されている。その他、特に図示しないが、好ましくは扉３の室内側の側面における上部にドアクローザが設けられ、このドアクローザは、ユーザにより開けられた扉３を自動的に閉める働きをする。
【００１９】
さらに、付言すると、電気錠４は、扉３の内部に配設される錠機構を内装する錠箱４ａに収容された図示しない駆動装置を備えている。錠機構は、図示しない駆動モータ、駆動歯車、クラッチ、駆動腕、デッドボルト等の必要な構成部材を含み、前記デッドボルト４ｂは前記駆動モータの駆動力により、扉３の自由端側の側面を基準に出没方向する。また錠機構は、シリンダ装置のみならず、サムターン装置を含み、前記サムターン装置は室内側から手動でデッドボルト４ｂを操作する摘み４ｃを備えている。
【００２０】
そして、当該摘み４ｃの操作及び制御装置に駆動信号で制御される駆動装置の駆動を通じて、デッドボルト４ｂは、扉３の自由端側の側面から突出して扉枠１に設けられた受け金具１ｃに係合する施錠位置と、当該受け金具１ｃに対する係合が解除される解錠位置との間を変位する。
【００２１】
なお、電動ラッチ装置又は機械的ラッチ機構６は、ラッチ箱６ａと、該ラッチ箱から突出するラッチ部材（反転ラッチ、ラットボルト）６ｂを備え、扉枠１のラッチ受けに係合することにより扉３の閉状態を保持する。また、電気錠４が解錠された状態で電動ラッチ装置が駆動されたとき、又は扉３の内壁面３ａ、外壁面３ｂに内外の取付け座、複数の螺合手段（連結手段）を介して一体的に配設された、好ましくはハンドル本体が長尺状の内外のハンドル部材８，９の「引く操作」又は「押す操作」のいずれかの態様により、扉３の開動作がなされたときには、ラッチ部材６ｂが可動し、扉３を開けることができる。
図４は内外のハンドル部材８，９の要部を分解した斜視図で、錠機構、ラッチ機構等の詳細は省略している。この図４に於いて、扉３の向こう側に内側ハンドル部材（以下、「内ハンドル部材」８という）を示し、一方、扉３の手前側に外側ハンドル部材（以下、「外ハンドル部材」９という）を示している。
【００２２】
まず、この図４を参照にして扉３の構成を説明する。扉３の自由端部の内壁面３ａと外壁面３ｂの中央部（中央部寄りの部位も含む）には、上下一対の縦長状の扉貫通孔１１、１１が形成されている。
【００２３】
これらの縦長状の扉貫通孔１１、１１は、上下端部がそれぞれ小径、その余の中央部（中央部寄りの部位も含む）は大径である。このように上下の扉貫通孔１１を上下方向に長孔状に形成する、一部を幅広くする等の構成を採用することにより、第１水平連結杆３１及び第２水平連結杆３２の挿入が簡単になる。各扉貫通孔１１、１１の内、上方に位置する扉貫通孔１１（図６で示す扉貫通孔１１）は、その縁部分１１ａでもって上方の長い方の第１水平連結杆３１を係合支持する係合部としての機能を発揮する。また、内外の作動片２５、２０をラッチ箱の側壁の窓へとそれぞれ差し込むため、前記長い方の第１水平連結杆３１の先端部を貫通させる機能も有する。したがって、縦長状の扉貫通孔１１は、前記両機能を発揮させるために、その長さ、幅、形状及び形成場所は適宜に設計され得る。
【００２４】
そして、上下の扉貫通孔１１、１１の垂直線上の扉３の自由端部には、上下の錠機構をそれぞれ構成するシリンダ装置及びサムターン装置用の第１開口１２、１２が形成されている。さらに、実施形態では、前記上方の縦長状扉貫通孔１１と上方の第１開口１２との間に、前述した識別情報取得電子機器（カメラ、携帯端末、リーダ等）５を扉３に装着した場合に於いて、該識別情報取得電子機器５側のリード線用の円形、矩形等の第２開口（扉の配線導出用開口）１３が形成されている。
【００２５】
さらに、扉３の自由端面（木口側）には、上下にそれぞれ電気錠の錠箱４ａ、４ａを装着するための第３開口１４、１４、機械的ラッチ機構６を内装するラッチ箱６ａを装着するための第４開口１５が形成されている。特に図示しないが、扉３の内外の壁面３ａ、３ｂには、必要に応じ適宜に取付け孔や開口が形成されている。
次に内ハンドル部材８の構成を説明する。なお、内ハンドル部材８は複雑な構成に図示することができるが、ここでは、発明の技術的思想を判り易くするために、内ハンドル部材８を簡単に図示して説明する。
【００２６】
内ハンドル部材８は、単数又は複数の内側取付け座２０、実施形態では縦長状の内側取付け座２０と、この内側取付け座２０の内壁面（ここでは扉３の内壁面３ａと対向する垂直側面）を除き、前記内壁面の反対側の外壁面、左右の対向側壁の外壁面等の外側壁をカバーする縦長状のケース蓋２１と、このケース蓋体２１の外壁面の上下端部に上下一対の台状脚部２２の端面が当接するやや弓状のハンドル本体２３とから成り、前記上下一対の台状脚部２２と一体のハンドル本体２３は、後述するように複数個の本締め用固定ネジ１６、１６を介して外ハンドル部材９と一体的に連結され得る。なお、前記上下一対の台状脚部２２は、本来、内側取付け座の機能を有するものであるが、本実施形態では縦長状の内側取付け座２０と前記台状脚部２２とは別体なので、ここでは説明の便宜上両者を区別する。
【００２７】
さて、内ハンドル部材８の作動片２５の具体的構成は周知事項なので、その詳細な説明は割愛するが、この内ハンドル部材８のハンドル本体２３の下端部は、下方の台状脚部２２に水平軸２６を介して回転自在に軸支されている。一方、内ハンドル部材８の上方の台状脚部２２に設けられた作動片２５は略水平方向に突出し、この作動片２５の突出外端部はラッチ箱６ａにその窓部を介して入り込み、機械的ラッチ機構６のロック状態を解消させることができる。
【００２８】
次に外ハンドル部材９の構成を説明する。この外ハンドル部材９の駆動リンクを含む作動片の構成も周知事項なので、その詳細な説明は割愛するが、この外ハンドル部材９は、扉３の外壁面３ｂに当接する上下一対の台状脚部（実施形態では外側取付け座に相当する）２７、２７と、これらの台状脚部２７、２７に一体的に設けられたやや弓状のハンドル本体２８とから成り、前記ハンドル本体２８の下端部の下方の台状脚部２７も、水平軸２９を介して回転自在に軸支されている。また前記ハンドル本体２８の上端部の上方の台状脚部２７も、内作動片２５と同様の作動片３０を有している。したがって、内外のハンドル本体２３、２８は、それぞれ水平軸２６、２９を支点にして所要量回転可能である。
【００２９】
しかして、外ハンドル部材９の上下の台状脚部２７、２７は、前述した上下の扉貫通孔１１、１１をそれぞれ水平方向に貫通する上下の第１水平連結杆３１及び該第１水平連結杆に対して上下方向に所定の間隔を有して平行する第２水平連結杆３２を有し、実施形態では、前記第１水平連結杆３１は前記第２水平連結杆３２よりも長い。上方の台状脚部２７に設けられた第１水平連結杆３１及び第２水平連結杆３２と、下方の台状脚部２７に設けられた第１水平連結杆３１及び第２水平連結杆３２は、ハンドル本体２８の長手方向の中心Ｏを基準として上下対称（回転対称）である。
【００３０】
ここで、図５を参照にして、内ハンドル部材８を構成する縦長状の内側取付け座２０の具体的構成を説明する。内側取付け座部材は、実施形態では、金属製又は硬質の合成樹脂製で縦長状に成形された内側取付け座２０及び一側面（内壁面）が開口するやや扁平状のケース蓋２１とから成り、前記ケース蓋２１は前記内側取付け座２０に外嵌合する。
【００３１】
内側取付け座２０及びケース蓋２１には第１水平連結杆３１用の貫通孔及び作動片用の開口がそれぞれ形成され、実施形態では、内側取付け座２０の上端部寄りの部位と下端部寄りの部位にそれぞれ形成された貫通孔は略真円状であり、これらの上下の貫通状支持孔３３，３３は、螺合手段の一方を構成する第１水平連結杆３１の先端部が貫通した場合には、前述したように内側取付け座２０を扉３の内壁面３ａに対して貫通させる。また内側取付け座２０の上端部と下端部には、上下対称に内側座板用固定ネジ３４が入り込む、３５が形成されている。また上方の貫通状取付け孔３５の上部には、配線用の導入窓３６が形成され、さらに、前述した作動片用の開口３７、３７が内側取付け座２０及びケース蓋２１の適宜箇所に形成されている。
【００３２】
次に図６は、外ハンドル部材９の長い第１水平連結杆３１と短い第２水平連結杆３２を扉３の上の縦長状貫通孔１１に差込む説明図である。また図７は、図６に於いて、外ハンドル部材９の第１水平連結杆３１と第２水平連結杆３２を扉の縦長状貫通孔１１に貫通した状態を扉３の内壁面３ａ側から見た説明図である。さらに、図８は扉３の内壁面３ａに対して、内側取付け座２０を内側座板用固定ネジ３４及び第２水平連結杆３２を介して固定した説明図である。
【００３３】
上下の脚部を含む内外のハンドル本体２３、２８を扉３の内外の壁面に対して一体的に配設する前に、内ハンドル部材８を構成する内側取付け座２０を扉３の内壁面３ａに対して、貫通させる理由は、長板状の内側取付け座２０を扉３の内壁面３ａに簡単に固定することができる点を挙げることができるが、さらに、内側取付け座２０を扉３の内壁面３ａに固定ネジ３４及び短い第２水平連結杆３２を介して固定する主な理由は、「（１）本発明の主要部」が、「扉用の自動施解錠装置」の構成要件の一部として利用された場合には、電子機器５と制御装置１０の結線の容易化を図る必要がある。
【００３４】
すなわち、例えば電子機器５を扉３の外壁面３ｂ又は扉３の内部に固定的に配設し、一方、制御装置１０を扉３の内壁面、内ハンドル部材８（例えば内側取付け座２０の外壁面、脚部、ハンドル本体）に配設した場合において、図９で示すように電子機器５と制御装置１０とを互いのコネクタ手段４１（４１ａ、４１ｂ）を介して各リード線（ａ、ｂ）を結線する必要があり場合には、長板状の内側取付け座２０を片手で押えることなく、両手を使用して各リード線（ａ、ｂ）を一方のコネクタ４１ａと他方のコネクタ４１ｂ同士をワンタッチ方式で接続し、電子機器５側のリード線ａと制御装置１０側のリード線ｂを結線すれば、結線作業が極めて容易である。
【００３５】
次に図１０は、扉３の木口側から見た要部の分解説明図、図１１は本締め用固定ネジ１６を、台状脚部２２を有する内ハンドル本体２３の貫通孔３９に差し込み、かつ第１水平連結杆３１の先端部にねじ込んで外ハンドル部材９を扉の外壁面３ｂに引寄せて内ハンドル部材８と外ハンドル部材９を一体化する説明図である。
【００３６】
以上のとおりであるから、本発明の主要部を前提とした内外のハンドル部材の取付け構造Ｘは、例えば扉３の内壁面３ａに配設される長尺状の内ハンドル部材８と扉３の外壁面３ｂに配設される長尺状の外ハンドル部材９とを螺合手段（オネジとメネジ）を介して一体的に連結する内外のハンドル部材８、９の取付け構造であって、前記内ハンドル部材８を構成する内側取付け座２０に貫通状支持孔３３を形成し、一方、前記外ハンドル部材９に突設した前記螺合手段の一方を構成する第１水平連結杆３１の先端部を、前記貫通状支持孔３３に貫通させて前記内側取付け座２０を前記扉３の内壁面３ａに対してぶら下がり状態で貫通し、この貫通状態で前記外ハンドル部材９の外側取付け座（実施形態では上下一対の台座状脚部）２７に突設され、かつ前記第１水平連結杆３１とは別個の第２水平連結杆３２に内側座板用固定ネジ３４を前記内側取付け座２０の外壁面の貫通状取付け孔３５からねじ込んで該内側取付け座２０と前記外ハンドル部材９とを前記扉１の内外の壁面３ａ、３ｂに対して一体的に固定し、さらに、前記内ハンドル部材８を構成すると共に、台状脚部２２を有する内ハンドル本体２３の貫通孔３９に本締め用固定ネジ１６を差し込み、かつ、前記第１水平連結杆３１のメネジを有する先端部に螺合させて該内ハンドル本体２３と前記外ハンドル部材９を完全に一体化するものである。
【実施例】
【００３７】
この欄では、第１実施形態を利用する内外のハンドル部材の取付け方法Ｙを説明する。この内外のハンドル部材の取付け方法Ｙの課題は、脚部２２を有する内ハンドル本体２３と外ハンドル部材９を完全に一体化する内外ハンドル部材一体化工程の前、つまり、内外のハンドル部材８、９を一体化する前に識別情報取得電子機器（例えばカメラ、リーダなど）５側のコネクタ４１ａと、内ハンドル部材の内側取付け座２０の外壁面（この実施形態）、脚部２２、ハンドル本体２３のいずれかに固定的に設けた制御装置１０側のコネクタ４１ｂとを容易に接続することである。
【００３８】
この内外のハンドル部材の取付け方法Ｙは、扉３の内壁面３ａに配設される長尺状の内ハンドル部材８と扉の外壁面３ｂに配設される長尺状の外ハンドル部材９とを螺合手段（オネド、メネジ）を介して一体的に連結するものである。
【００３９】
図１５を参照にすると、Ａは、外ハンドル部材９に突設した前記螺合手段の一方を構成する第１水平連結杆３１の先端部を、前記扉３及び前記内ハンドル部材８を構成する内側取付け座２０の貫通状支持孔３３に貫通させて前記内ハンドル部材８を構成する内側取付け座２０を前記扉の内壁面３ａに対して仮止めの状態に保持する内側取付け座仮止め工程である。この内側取付け座仮止め工程Ａでは、内側取付け座２０は、上下一対の貫通状支持孔３３を同時に貫通する上方の第１水平連結杆３１と下方の第１水平連結杆３１に支持されるので、上下・左右に可動しない。したがって、内側取付け座２０は、扉の内壁面３ａに対して確実に仮止めされる。
【００４０】
次にＢは、内側取付け座仮止め工程Ａの状態で、外ハンドル部材９の脚部状の外側取付け座２７に突設され、かつ、前記長い第１水平連結杆３１とは別個の短い第２水平連結杆３２に内側座板用固定ネジ３４を前記内側取付け座２０の外壁面側からねじ込んで該内側取付け座２０と前記外ハンドル部材９とを扉３の内外の壁面３ａ、３ｂに対して一体的に固定する内側取付け座及び外ハンドル部材一体化工程である。
【００４１】
この内側取付け座及び外ハンドル部材一体化工程では、第２実施形態又は第３実施形態の内側取付け座を採用し、係合爪部４５を扉３の配線導出用第２開口１３の下縁部１３ａをカバーするとように係止させるのが好ましい。
【００４２】
次にＣは、扉３に配設した電気錠解錠用の識別情報取得電子機器５のリード線ａと電気錠の駆動源を制御する制御装置１０のリード線ｂを互いのコネクタ４１ａ、４１ｂにより結線する電子機器５と制御装置１０の結線工程である。
【００４３】
この結線工程Ｃでは、前記識別情報取得電子機器５は、図示しない出願人が製造・販売する「ハンズフリーシステム」の携帯型電子キーに対応するリーダ又はユーザの顔を識別する薄型カメラを採用するのが望ましく、例えば識別情報取得電子機器５は取付け板を介して扉３の外壁面３ｂの適宜箇所に固定される。なお、この結線工程Ｃでは、制御装置１０と錠機構との配線も行われる。
【００４４】
最後にＤは内外ハンドル部材一体化工程で、この工程Ｄでは、内ハンドル部材８を構成する内ハンドル本体２３の貫通孔３９に本締め用固定ネジ１６を差し込み、かつ、第１水平連結杆３１の先端部のメネジに螺合させて該内ハンドル本体２３と外ハンドル部材９を完全に一体化する内外ハンドル部材一体化工程である。この内外ハンドル部材一体化工程Ｄでは、本締め用固定ネジ１６によって外ハンドル部材９が扉３の外壁面３ｂに完全に引き寄せられ、内外のハンドル部材８、９が一体と成る。なお、特に図示しないが、内ハンドル本体２３の上端部にも適宜に貫通孔３９を形成するのが好ましい。
【産業上の利用可能性】
【００４５】
本発明は、電気錠を備えた扉に適用される。
【符号の説明】
【００４６】
Ｘ…内外のハンドル部材の取付け構造、
Ｙ…内外のハンドル部材の取付け方法、
１…扉枠、
３…扉、
３ａ…内壁面、
４…電気錠、
５…電子機器、
６…機械的ラッチ機構、
８…内ハンドル部材、
９…外ハンドル部材、
１０…制御装置、
１１…扉貫通孔、
１１ａ…扉貫通孔の縁部分、
１６…本締め用固定ネジ、
１３…扉側の配線導出用第２開口、
２０…内側取付け座、
２１…ケース蓋、
２３、２８…ハンドル本体、
２５、３０…作動片、
２７…外側取付け座（脚部）、
３１…第１水平連結杆、
３１…水平連結杆
３２…第２水平連結杆、
３３…貫通状支持孔、
３４…内側座板用固定ネジ、
３５…貫通状取付け孔、
５０…係合部、
Ａ…内側取付け座仮止め工程、
Ｂ…内側取付け座及び外ハンドル部材一体化工程、
Ｃ…電子機器と制御装置の結線工程、
Ｄ…内外ハンドル部材一体化工程。
【図１】
2018168590.tif 000003
【図２】
2018168590.tif 000004
【図３】
2018168590.tif 000005
【図４】
2018168590.tif 000006
【図５】
2018168590.tif 000007
【図６】
2018168590.tif 000008
【図７】
2018168590.tif 000009
【図８】
2018168590.tif 000010
【図９】
2018168590.tif 000011
【図１０】
2018168590.tif 000012
【図１１】
2018168590.tif 000013
【図１２】
2018168590.tif 000014
【図１３】
2018168590.tif 000015
【図１４】
2018168590.tif 000016
【図１５】
2018168590.tif 000017